(57)【要約】【課題】ユーザが中古品を引き取ってもらうときに下取に出すべきか買取に出すべきかの指標を提示できる。【解決手段】データベースサーバから買取見積価格の最高値ＰＡｍａｘを受信したウェブサーバは、このＰＡｍａｘに基づいて、買取見積価格の最低値ＰＡｍｉｎや下取見積価格の最高値ＰＢｍａｘ・最低値ＰＢｍｉｎを算出する（ステップ２１０）。続いて、ＰＡｍａｘがＰ１を越えているか否かを判定し（ステップＳ２２０）、ＰＡｍａｘがＰ１を越えているときには、その中古品は商品の購入を伴わない買取の価値があり、また新たな商品の購入を伴う下取の価値もあると判断し、買取見積価格の最高値ＰＡｍａｘ・最低値ＰＡｍｉｎと、下取見積価格の最高値ＰＢｍａｘ・最低値ＰＢｍｉｎを含む見積画面を作成し（ステップＳ２３０）、その後この見積画面をユーザコンピュータ４０に送信する。【選択図】　　　　図５
2004126672.tif 000002
【特許請求の範囲】
【請求項１】
ユーザから中古品を引き取る際の見積価格をユーザコンピュータに提示する中古品見積システムであって、
前記ユーザコンピュータから前記中古品の見積要求と前記中古品の見積に必要な見積必要情報とを受信したとき、前記中古品の引取が商品の購入を伴う下取の場合の下取見積価格と前記中古品の引取が商品の購入を伴わない買取の場合の買取見積価格とを前記見積必要情報に基づいて決定する見積価格決定手段と、
前記見積価格決定手段によって決定された前記下取見積価格と前記買取見積価格とを含む見積情報を前記ユーザコンピュータに送信する見積情報送信手段と
を備えた中古品見積システム。
【請求項２】
請求項１に記載の中古品見積システムであって、
前記見積価格決定手段は、前記下取見積価格が前記買取見積価格よりも有利になるように前記下取見積価格と前記買取見積価格とを決定する
中古品見積システム。
【請求項３】
請求項１又は２に記載の中古品見積システムであって、
前記見積価格決定手段は、前記買取見積価格を決定したあと該買取見積価格に基づいて前記下取見積価格が前記買取見積価格よりも有利になるように前記下取見積価格を決定するか、前記下取見積価格を決定したあと該下取見積価格に基づいて前記下取見積価格が前記買取見積価格よりも有利になるように前記買取見積価格を決定する
中古品見積システム。
【請求項４】
請求項３に記載の中古品見積システムであって、
前記見積価格決定手段は、前記買取見積価格を決定したあと前記下取見積価格を前記買取見積価格の関数として演算するか、前記下取見積価格を決定したあと前記買取見積価格を前記下取見積価格の関数として演算する
中古品見積システム。
【請求項５】
請求項１〜４のいずれかに記載の中古品見積システムであって、
前記見積価格決定手段は、前記買取見積価格の最低値と最高値及び前記下取見積価格の最低値と最高値を決定する
中古品見積システム。
【請求項６】
請求項１〜５のいずれかに記載の中古品見積システムであって、
前記見積情報送信手段は、前記見積情報として、前記買取見積価格と前記下取見積価格とに加えて前記ユーザが前記買取見積価格で買取を希望するときに選択する買取選択部と前記ユーザが前記下取見積価格で下取を希望するときに選択する下取選択部とを含む見積画面を前記ユーザコンピュータに送信する
中古品見積システム。
【請求項７】
請求項６に記載の中古品見積システムであって、
前記ユーザコンピュータから前記ユーザが前記下取選択部を選択した旨を受信したとき、前記ユーザが下取を希望したときの前記見積必要情報と前記下取見積価格とを含む下取内容を記憶手段に保存する下取内容保存手段と、
前記ユーザコンピュータから商品を購入する旨を受信したとき、前記記憶手段に保存された前記下取内容を読み出して送信し前記ユーザが前記下取内容での下取を行うか否かを確認する下取内容確認手段と
を備えた中古品見積システム。
【請求項８】
請求項１〜７のいずれかに記載の中古品見積システムであって、
前記見積必要情報に基づいて決定した前記買取見積価格が予め定めた買取可能価格帯にあるか否かを判定する買取判定手段
を備え、
前記見積情報送信手段は、前記買取判定手段によって前記買取見積価格が前記買取可能価格帯にないと判定されたときには前記買取見積価格を含まない前記見積情報を前記ユーザコンピュータに送信する
中古品見積システム。
【請求項９】
請求項６又は７に係る請求項８に記載の中古品見積システムであって、
前記見積情報送信手段は、前記買取見積価格を含まない前記見積情報を前記ユーザコンピュータに送信する際、前記見積画面に前記買取選択部を含めずに送信するか又は前記見積画面に前記ユーザが選択できない状態の前記買取選択部を含めて送信する
中古品見積システム。
【請求項１０】
請求項１〜９のいずれかに記載の中古品見積システムであって、
前記見積価格決定手段は、前記ユーザコンピュータから前記中古品の見積要求と前記中古品の見積に必要な見積必要情報として前記中古品に含まれる部品に関する情報を受信したとき、前記下取見積価格と前記買取見積価格とを前記部品に関する情報に基づいて決定する
中古品見積システム。
【請求項１１】
ユーザから中古品を引き取る際の見積価格をユーザコンピュータに提示する中古品見積方法であって、
（ａ）サーバ側のコンピュータが、前記ユーザコンピュータから前記中古品の見積要求と前記中古品の見積に必要な見積必要情報とを受信したとき、前記中古品の引取が商品の購入を伴う下取の場合の下取見積価格と前記中古品の引取が商品の購入を伴わない買取の場合の買取見積価格とを前記見積必要情報に基づいて決定するステップと、
（ｂ）前記サーバ側のコンピュータが、前記ステップ（ａ）で決定された前記下取見積価格と前記買取見積価格とを含む見積情報を前記ユーザコンピュータに送信するステップと
を含む中古品見積方法。
【請求項１２】
ユーザから中古品を引き取る際の見積価格をユーザコンピュータに提示させるための中古品見積プログラムであって、
（ａ）前記ユーザコンピュータから前記中古品の見積要求と前記中古品の見積に必要な見積必要情報とを受信したとき、前記中古品の引取が商品の購入を伴う下取の場合の下取見積価格と前記中古品の引取が商品の購入を伴わない買取の場合の買取見積価格とを前記見積必要情報に基づいて決定するステップと、
（ｂ）前記ステップ（ａ）で決定された前記下取見積価格と前記買取見積価格とを含む見積情報を前記ユーザコンピュータに送信するステップと
をサーバ側のコンピュータに実行させるための中古品見積プログラム。
【発明の詳細な説明】
【０００１】
【発明の属する技術分野】
本発明は、ユーザから中古品を引き取る際の見積価格をユーザに提示する中古品見積システム、その方法及びそのプログラムに関する。
【０００２】
【従来の技術】
近年、ユーザから中古品を引き取る際の見積価格をユーザに提示するシステムが提案されている。例えば、特許文献１には、コンピュータネットワークを用いたリサイクル支援方式が開示されており、ここでは、ユーザが見積入力画面で中古品を特定し見積金額の提示ボタンを選択した場合、サーバコンピュータがその中古品の見積金額を演算しユーザコンピュータへと送信する。また、非特許文献１には、新たに製品を購入するユーザを対象としたコンピュータ下取サービスが開示されており、ここでは、ユーザが情報入力画面にて中古コンピュータのＣＰＵ、メモリ、ＨＤＤなどの仕様に関する情報を入力したあと見積結果を要求すると、サーバ側からその中古コンピュータの下取見積金額が提示される。
【０００３】
【特許文献１】
特開２００２−２１５７７１
【非特許文献１】
“デルＰＣ買取りサービス”、［ｏｎｌｉｎｅ］、デルコンピュータ株式会社、［平成１４年９月２７日検索］、インターネット＜ＵＲＬ：ｈｔｔｐ：／／ｗｗｗ．ｄｅｌｌ．ｃｏｍ／ｊｐ／ｊｐ／ｄｈｓ／ｔｏｐｉｃｓ／ｎｎｓｅｇｔｏｐｉｃ＿ｋａｉｔｏｒｉ．ｈｔｍ＞
【０００４】
【発明が解決しようとする課題】
ところで、ユーザが業者に中古品を引き取ってもらいたい場合には、大きく分けて、新たに商品を購入するので今まで使っていた中古品が不要になる場合と、新たに商品を購入するわけではないが今まで使っていた中古品が不要になった場合とがあり、本明細書では前者における中古品の引取を「下取」、後者における中古品の引取を「買取」と称することとする。このように、中古品の引取には下取と買取の二つがあるが、特許文献１や非特許文献１ではこのうちのいずれか一方のみしか考慮されておらず、ユーザが下取をしてもらうか買取をしてもらうかを迷っているときの指標になりづらいという問題があった。また、中古品を引き取る側からすると、ユーザから中古品を引き取る機会を利用して商品購買意欲を喚起することが望ましい。
【０００５】
本発明は、このような課題に鑑みなされたものであり、ユーザが中古品を引き取ってもらうときに下取に出すべきか買取に出すべきかの指標を提示可能な中古品見積システム、その方法及びそのプログラムを提供することを目的とする。また、ユーザから中古品を引き取る機会を利用して商品購買意欲を喚起できる中古品見積システム、その方法及びそのプログラムを提供することを目的とする。
【０００６】
【課題を解決するための手段及びその作用・効果】
上述の目的の少なくとも一つを達成するため、本発明は以下の手段を採用した。
【０００７】
本発明の第１は、ユーザから中古品を引き取る際の見積価格をユーザコンピュータに提示する中古品見積システムであって、
前記ユーザコンピュータから前記中古品の見積要求と前記中古品の見積に必要な見積必要情報とを受信したとき、前記中古品の引取が商品の購入を伴う下取の場合の下取見積価格と前記中古品の引取が商品の購入を伴わない買取の場合の買取見積価格とを前記見積必要情報に基づいて決定する見積価格決定手段と、
前記見積価格決定手段によって決定された前記下取見積価格と前記買取見積価格とを含む見積情報を前記ユーザコンピュータに送信する見積情報送信手段と
を備えたものである。
【０００８】
この中古品見積システムでは、ユーザコンピュータから中古品の見積要求とその中古品の見積に必要な見積必要情報とを受信したとき、その中古品の下取見積価格と買取見積価格とを見積必要情報に基づいて決定し、これら下取見積価格と買取見積価格とをユーザコンピュータに送信する。これにより、ユーザは下取見積価格と買取見積価格とを比較することができ、中古品を引き取ってもらうときに下取に出すべきか買取に出すべきかの指標とすることができる。
【０００９】
なお、「中古品」とは、新品でない品物をいい、例えば新品を何度か使用した品物や新品を使用せず月日が経過した品物などをいう。また、見積価格決定手段は、中古品の見積要求と同時に見積必要情報を受信してもよいし、中古品の見積要求と見積必要情報とを別々に受信してもよい。
【００１０】
本発明の中古品見積システムにおいて、前記見積価格決定手段は、前記下取見積価格が前記買取見積価格よりも有利になるように前記下取見積価格と前記買取見積価格とを決定してもよい。こうすれば、ユーザはできるだけ中古品を下取見積価格で引き取ってもらいたいと考えて商品の購入を検討することが期待される。つまり、ユーザから中古品を引き取る機会を利用して商品購買意欲を喚び起こすことができる。
【００１１】
本発明の中古品見積システムにおいて、前記見積価格決定手段は、前記買取見積価格を決定したあと該買取見積価格に基づいて前記下取見積価格が前記買取見積価格よりも有利になるように前記下取見積価格を決定するか、前記下取見積価格を決定したあと該下取見積価格に基づいて前記下取見積価格が前記買取見積価格よりも有利になるように前記買取見積価格を決定してもよい。買取見積価格と下取見積価格とをいちいち個別に決定してもよいが、買取見積価格を決定したあとその買取見積価格に基づいて下取見積価格を決定するようにしたり、あるいは下取見積価格を決定したあとその下取見積価格に基づいて買取見積価格を決定するようにすれば、下取見積価格を買取見積価格よりも有利になるように簡単に決定することができる。具体的には、買取見積価格を決定したあと下取見積価格を買取見積価格の関数として演算したり、下取見積価格を決定したあと買取見積価格を下取見積価格の関数として演算したりしてもよく、例えば前者としては買取見積価格に所定のオフセット価格（＞０）を加えたり所定の係数（＞１）を乗じたりして下取見積価格を求めてもよく、後者としては下取見積価格に所定のオフセット価格（＜０）を加えたり所定の係数（＜１）を乗じたりして買取見積価格を求めてもよい。所定のオフセット価格や所定の係数は一定値としてもよいし価格に応じて決められた値としてもよい。
【００１２】
本発明の中古品見積システムにおいて、前記見積価格決定手段は、前記買取見積価格の最低値と最高値及び前記下取見積価格の最低値と最高値を決定してもよい。こうすれば、ユーザは下取見積価格と買取見積価格とを比較する際に、両者の最低値同士あるいは最高値同士を比較することができるので指標としてより有用である
【００１３】
本発明の中古品見積システムにおいて、前記見積情報送信手段は、前記見積情報として、前記買取見積価格と前記下取見積価格とに加えて前記ユーザが前記買取見積価格で買取を希望するときに選択する買取選択部と前記ユーザが前記下取見積価格で下取を希望するときに選択する下取選択部とを含む見積画面を前記ユーザコンピュータに送信してもよい。こうすれば、システム側は、買取選択部が選択されたときには商品を購入せず買取見積価格で引き取ってほしいというユーザの意思を認識でき、下取選択部が選択されたときには商品を購入するので下取見積価格で引き取ってほしいというユーザの意思を認識できる。例えば、買取選択部が選択されたときには中古品を買い取るために必要な情報をユーザに求めたりしてもよく、下取選択部が選択されたときには商品購入サイトへ移行したりしてもよい。
【００１４】
このように前記見積情報送信手段が前記買取選択部と前記下取選択部とを含む前記見積情報を前記ユーザコンピュータに送信する場合において、前記ユーザコンピュータから前記ユーザが前記下取選択部を選択した旨を受信したとき、前記ユーザが下取を希望したときの前記見積必要情報と前記下取見積価格とを含む下取内容を記憶手段に保存する下取内容保存手段と、前記ユーザコンピュータから商品を購入する旨を受信したとき、前記記憶手段に保存された前記下取内容を読み出して送信し前記ユーザが前記下取内容での下取を行うか否かを確認する下取内容確認手段とを備えていてもよい。こうすれば、ユーザが商品を購入すると共に中古品の下取をしてもらう際には、以前見積要求したときの下取内容を確認するだけでよいため、再度中古品の見積要求をする手間がいらず、煩雑さがなくなる。
【００１５】
本発明の中古品見積システムにおいて、前記見積必要情報に基づいて決定した前記買取見積価格が予め定めた買取可能価格帯にあるか否かを判定する買取判定手段を備え、前記見積情報送信手段は、前記買取判定手段によって前記買取見積価格が前記買取可能価格帯にないと判定されたときには前記買取見積価格を含まない前記見積情報を前記ユーザコンピュータに送信してもよい。つまり、中古品を単独で買い取る価値がない場合には買取見積価格を提示しないが、このような場合であっても商品の購入を伴う下取であればシステム側にとって意味があるから下取見積価格は提示する。こうすれば、ユーザは中古品を下取見積価格で引き取ってもらいたいと考え商品の購入を検討することが期待される。つまり、ユーザから中古品を引き取る機会を利用して商品購買意欲を喚起できる。
【００１６】
上述のように前記見積情報送信手段が前記買取選択部と前記下取選択部とを含む前記見積画面を前記ユーザコンピュータに送信する場合、前記見積情報送信手段は、前記買取見積価格を含まない前記見積情報を前記ユーザコンピュータに送信する際、前記見積画面に前記買取選択部を含めずに送信するか又は前記見積画面に前記ユーザが選択できない状態の前記買取選択部を含めて送信してもよい。こうすれば、中古品の買取見積価格が提示されていないにもかかわらず、ユーザが誤って買取選択部を選択してしまうといった事態を回避できる。
【００１７】
本発明の中古品見積システムにおいて、前記見積価格決定手段は、前記ユーザコンピュータから前記中古品の見積要求と前記中古品の見積に必要な見積必要情報として前記中古品に含まれる部品に関する情報を受信したとき、前記下取見積価格と前記買取見積価格とを前記部品に関する情報に基づいて決定してもよい。こうすれば、中古品に含まれる部品に応じて価値を判断することができる。
【００１８】
本発明の第２は、ユーザから中古品を引き取る際の見積価格をユーザコンピュータに提示する中古品見積方法であって、
（ａ）サーバ側のコンピュータが、前記ユーザコンピュータから前記中古品の見積要求と前記中古品の見積に必要な見積必要情報とを受信したとき、前記中古品の引取が商品の購入を伴う下取の場合の下取見積価格と前記中古品の引取が商品の購入を伴わない買取の場合の買取見積価格とを前記見積必要情報に基づいて決定するステップと、
（ｂ）前記サーバ側のコンピュータが、ステップ（ａ）で決定された前記下取見積価格と前記買取見積価格とを含む見積情報を前記ユーザコンピュータに送信するステップと
を含むものである。
【００１９】
この中古品見積方法では、ユーザコンピュータから中古品の見積要求とその中古品の見積に必要な見積必要情報とを受信したとき、その中古品の下取見積価格と買取見積価格とを見積必要情報に基づいて決定し、これら下取見積価格と買取見積価格とをユーザコンピュータに送信する。これにより、ユーザは下取見積価格と買取見積価格との比較をすることができ、中古品を引き取ってもらうときに下取に出すべきか買取に出すべきかの指標とすることができる。なお、サーバ側のコンピュータは、１台であってもよいし、複数台であってもよい。
【００２０】
本発明の第３は、ユーザから中古品を引き取る際の見積価格をユーザコンピュータに提示させるための中古品見積プログラムであって、
（ａ）前記ユーザコンピュータから前記中古品の見積要求と前記中古品の見積に必要な見積必要情報とを受信したとき、前記中古品の引取が商品の購入を伴う下取の場合の下取見積価格と前記中古品の引取が商品の購入を伴わない買取の場合の買取見積価格とを前記見積必要情報に基づいて決定するステップと、
（ｂ）ステップ（ａ）で決定された前記下取見積価格と前記買取見積価格とを含む見積情報を前記ユーザコンピュータに送信するステップと
をサーバ側のコンピュータに実行させるための中古品見積プログラムである。
【００２１】
この中古品見積プログラムは、コンピュータが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピュータから別のコンピュータへ配信されてもよいし、その他どのような形で授受されてもよい。このプログラムをサーバ側のコンピュータに実行させれば、サーバ側のコンピュータは、ユーザコンピュータから中古品の見積要求とその中古品の見積に必要な見積必要情報とを受信したとき、その中古品の下取見積価格と買取見積価格とを見積必要情報に基づいて決定し、これら下取見積価格と買取見積価格とをユーザコンピュータに送信する。これにより、ユーザは下取見積価格と買取見積価格との比較をすることができ、中古品を引き取ってもらうときに下取に出すべきか買取に出すべきかの指標とすることができる。なお、サーバ側のコンピュータは、１台であってもよいし、複数台であってもよい。
【００２２】
【発明の実施の形態】
次に、本発明の実施の形態を図面に基づいて説明する。図１は本実施形態の中古品見積システム１０の概略構成を表す説明図、図２はデータベースサーバのデータ記憶装置に記憶された各種データベースの説明図である。
【００２３】
本実施形態の中古品見積システム１０は、ウェブサーバ１２と、データベースサーバ１４とで構成され、それぞれネットワークケーブル１８によって通信可能に接続されている。
【００２４】
ウェブサーバ１２は、ユーザが所有するパーソナルコンピュータの中古品を引き取る際の見積価格を提示する中古品見積サイトを開設するサーバである。このウェブサーバ１２は、インターネット２０を介して接続されたユーザコンピュータ４０の要求窓口となるサーバであり、ユーザコンピュータ４０から受信した要求内容に応じて自ら応答内容を作成してユーザコンピュータ４０へ送信したり、ユーザコンピュータ４０から受信した見積必要情報をデータベースサーバ１４に渡してデータベースサーバ１４に買取見積価格を演算させその演算結果を受け取りその演算結果から応答内容を作成してユーザコンピュータ４０へ送信したりする機能などを有している。なお、見積必要情報とは、パーソナルコンピュータの中古品を構成する構成部品の種類や性能などに関する情報であるが、詳しくは後述する。
【００２５】
データ記憶装置１６は、データベースサーバ１４に接続され、図２に示すように、パーソナルコンピュータの構成部品の部品名と種類と価格とをそれぞれ対応付けた部品価格テーブルを記憶している。パーソナルコンピュータの構成部品につき、部品名としてはＣＰＵ、メモリ、ＨＤＤ、ＦＤＤ、ＣＤ−ＲＯＭ、ＬＡＮカード、マニュアル、梱包箱などがあり、このうち、ＣＰＵはプロセッサ名とクロック周波数によって種類が決められその種類ごとに価格が決められており、メモリやＨＤＤは容量によって種類が決められその種類ごとに価格が決められている。なお、図示しないが、ＣＤ−ＲＯＭは機能（ＤＶＤの読み取り可とか書き込み可など）によって種類が決められその種類ごとに価格が決められ、ＦＤＤやＬＡＮカードやマニュアルや梱包箱は種類の代わりに有か無に対応して価格が決められている。
【００２６】
データベースサーバ１４は、データ記憶装置１６に接続され、ユーザコンピュータ４０からウェブサーバ１２を経由して受信したパーソナルコンピュータの見積必要情報に基づいてデータ記憶装置１６を検索し、各構成部品の中古価格の総額を買取見積価格の最高値ＰＡｍａｘとして演算し、ウェブサーバ１２へ渡す機能などを有している。
【００２７】
ユーザコンピュータ４０は、個人又は法人が使用する周知の汎用パーソナルコンピュータであり、インストールされたウェブブラウザによりインターネット２０を介してウェブサーバ１２が開設する中古品見積サイトにアクセス可能である。また、ユーザコンピュータ４０は、種々の画面情報をディスプレイ４２に表示する。
【００２８】
次に、本実施形態の中古品見積システム１０の動作について説明する。図３は、ウェブサーバ１２とデータベースサーバ１４とユーザコンピュータ４０の通信の様子を時系列的に表した説明図である。
【００２９】
まず、ユーザがユーザコンピュータ４０のウェブブラウザを立ち上げてウェブサーバ１２が開設する中古品見積サイトのＵＲＬ（ユニフォーム・リソース・ロケータ）を入力する。すると、ユーザコンピュータ４０は、中古品見積サイトのトップページの取得要求をインターネット２０を介してウェブサーバ１２へ送信する（ステップＳ１００）。これを受信したウェブサーバ１２は、中古品見積サイトのトップページ画面をインターネット２０を介してユーザコンピュータ４０へ送信し（ステップＳ１１０）、これを受信したユーザコンピュータ４０は図示しないトップページ画面をディスプレイ４２に表示する。
【００３０】
次いで、ユーザは、図示しないトップページ画面に設けられている見積要求ボタンをクリックする。すると、ユーザコンピュータ４０は、見積要求をインターネット２０を介してウェブサーバ１２へ送信する（ステップＳ１２０）。これを受信したウェブサーバ１２は、見積必要情報入力画面をインターネット２０を介してユーザコンピュータ４０へ送信し（ステップＳ１３０）、これを受信したユーザコンピュータ４０は、見積必要情報入力画面をディスプレイ４２に表示する。ここで、見積必要情報とは、パーソナルコンピュータの中古品の見積に必要な情報であり、具体的にはパーソナルコンピュータの構成部品に関する情報である。図４は見積必要情報入力画面の一例である。ここでは、ＣＰＵについてはプロセッサ名とクロック周波数、メモリやＨＤＤについては容量、ＣＤ−ＲＯＭについては機能（ＤＶＤの読み取り可とか書き込み可など）、ＦＤＤやＬＡＮカードやマニュアルや梱包箱についてはその有無を、プルダウンメニューによって選択し入力する。
【００３１】
次いで、ユーザは、見積必要情報入力画面の各構成部品に関する情報を入力し、同画面に設けられた「ＯＫ」ボタン（図４参照）をクリックする。すると、ユーザコンピュータ４０は、見積必要情報をインターネット２０を介してウェブサーバ１２へ送信する（ステップＳ１４０）。これを受信したウェブサーバ１２は、データベースサーバ１４に対して見積必要情報と共に買取見積価格の要求信号を送信する（ステップＳ１５０）。すると、これを受信したデータベースサーバ１４は、見積必要情報に基づいてデータ記憶装置１６に記憶された部品価格テーブル（図２参照）を参照して買取見積価格の最高値ＰＡｍａｘを算出する。具体的には、ＣＰＵのプロセッサ名とクロック周波数に対応付けられた価格、メモリの容量に対応付けられた価格、ＨＤＤの容量に対応付けられた価格などを図２に例示した部品価格テーブルから読み出し、数１式に示すように、これらの部品価格の総額を買取見積価格の最高値ＰＡｍａｘとして算出する。
【００３２】
【数１】
ＰＡｍａｘ＝Σ（部品価格）
【００３３】
このようにして買取見積価格の最高値ＰＡｍａｘを算出したあと、データベースサーバ１４は、その買取見積価格の最高値ＰＡｍａｘをウェブサーバ１２へ送信する（ステップＳ１６０）。すると、これを受信したウェブサーバ１２は、図５に示す見積画面作成処理ルーチンを実行する。即ち、ウェブサーバ１２は、まず、データベースサーバ１４から受け取った買取見積価格の最高値ＰＡｍａｘに基づいて、買取見積価格の最低値ＰＡｍｉｎや下取見積価格の最高値ＰＢｍａｘ・最低値ＰＢｍｉｎを算出する（ステップ２１０）。各値を求める算出式の一例を数２式に示す。
【００３４】
【数２】
ＰＡｍｉｎ＝ＰＡｍａｘ×ｋ
ＰＢｍａｘ＝ＰＡｍａｘ＋α
ＰＢｍｉｎ＝ＰＢｍａｘ×ｋ’
（但し、ｋ＜１，ｋ’＜１，α＞０）
【００３５】
続いて、買取見積価格の最高値ＰＡｍａｘが閾値Ｐ１を越えているか否かを判定する（ステップＳ２２０）。この閾値Ｐ１は、買取見積価格の最高値ＰＡｍａｘがこの閾値Ｐ１以下のときに中古品見積システム２０側にとってその中古品を単独で買い取る価値がないと判断される値に設定されている。そして、ＰＡｍａｘがＰ１を越えているときには、その中古品は商品の購入を伴わない買取の価値があり、また、新たな商品の購入を伴う下取の価値もあると判断し、買取・下取説明文と、買取見積価格の最低値ＰＡｍｉｎ・最高値ＰＡｍａｘと、下取見積価格の最低値ＰＢｍｉｎ・最高値ＰＢｍａｘと、買取ボタン・下取ボタン・キャンセルボタンを含む見積画面を作成し（ステップＳ２３０）、その後このルーチンを終了する。このときの見積画面の一例を図６に示す。なお、買取・下取説明文とは、買取見積価格は新たな商品の購入を伴わない場合の見積価格であり下取見積価格は新たな商品の購入を伴う場合の見積価格であること、正常に動作しない中古品は買取・下取の対象外であること、最終的な買取価格や下取価格は中古品の査定をシステム側が行った上で最低値から最高値までの範囲内で決定されること、中古品の所有権はシステム側に到着した時点でシステム側に移転されること等の説明文をいう（図６の「※注意事項」参照）。
【００３６】
一方、ステップＳ２２０で買取見積価格の最高値ＰＡｍａｘが閾値Ｐ１以下のときには、その中古品は商品の購入を伴わない買取の価値がないが商品の購入を伴う下取の価値はあると判断し、続いて下取見積価格の最高値ＰＢｍａｘが閾値Ｐ２を越えているか否かを判定する（ステップＳ２４０）。この閾値Ｐ２は、下取見積価格の最高値ＰＢｍａｘがこの閾値Ｐ２以下のときに中古品見積システム２０側にとってその中古品の下取見積価格を幅を持たせる必要がないと判断される値に設定されている。そして、ＰＢｍａｘがＰ２を越えているときには、その中古品は、新たな商品の購入を伴う下取見積価格を幅を持って提示する必要があると判断し、下取説明文と、下取見積価格の最低値ＰＢｍｉｎ・最高値ＰＢｍａｘと、下取ボタン・キャンセルボタンとを含む見積画面を作成し（ステップＳ２５０）、その後このルーチンを終了する。このときの見積画面の一例を図７に示す。なお、下取説明文とは、今回の中古品は低価値のため商品の購入を伴わない買取はできず商品の購入を伴う下取のみの対象となること、正常に動作しない中古品は下取の対象外であること、最終的な下取価格は中古品の査定をシステム側が行った上で最低値から最高値までの範囲内で決定されること、中古品の所有権はシステム側に到着した時点でシステム側に移転されること等の説明文をいう（図７の「※注意事項」参照）。
【００３７】
一方、ステップＳ２４０で下取見積価格の最高値ＰＢｍａｘが閾値Ｐ２以下のときには、中古品見積システム２０側にとってその中古品の下取見積価格を幅を持たせる必要がないと判断し、下取見積価格を固定額Ｐ２（ステップＳ２４０における閾値）に設定し、下取説明文と、下取見積価格Ｐ２と、下取ボタン・キャンセルボタンとを含む見積画面を作成し（ステップＳ２６０）、その後このルーチンを終了する。このときの見積画面の一例を図８に示す。なお、このときの下取説明文とは、今回の中古品は低価値のため商品の購入を伴わない買取はできず商品の購入を伴う下取のみの対象となること、正常に動作しない中古品は下取の対象外であること、中古品の所有権はシステム側に到着した時点でシステム側に移転されること等の説明文をいう（図８の「※注意事項」参照）。この場合、中古品の査定を行うことなく一定の下取見積価格Ｐ２で中古品の下取を行うことになる。以上の見積画面作成処理ルーチンが終了したあと、図３に戻り、ウェブサーバ１２は作成した見積画面をユーザコンピュータ４０へ送信する（ステップＳ１７０）。これを受信したユーザコンピュータ４０はディスプレイ４２にその見積画面を表示する。
【００３８】
このとき、図６に示す見積画面であったとすると、ユーザは、見積画面の買取見積価格と下取見積価格とを比較し、特に両価格の最低値同士や最高値同士を比較し、買取を希望する場合には「買取希望」ボタンをクリックし、下取を希望する場合には「下取希望」ボタンをクリックし、いずれも希望しない場合には「キャンセル」ボタンをクリックする。すると、ユーザコンピュータ４０は、「買取希望」ボタンがクリックされたときには買取要求を、「下取希望」ボタンがクリックされたときには下取要求を、「キャンセル」ボタンがクリックされたときにはキャンセル要求をインターネット２０を介してウェブサーバ１２へ送信する（ステップＳ１８０）。すると、これを受信したウェブサーバ１２は、受信した信号が買取要求だったときには中古品の買取に必要な情報を入力するための図示しない買取必要情報入力画面をユーザコンピュータ４０へ送信し、受信した信号が下取希望だったときには新たに商品を購入することのできる図示しない商品購入サイトへユーザコンピュータ４０を接続し、受信した信号がキャンセル要求だったときには図示しないトップページ画面をユーザコンピュータ４０へ送信する（ステップＳ１９０）。ここで、買取必要情報とは、ユーザの住所、住所、電話番号、電子メールアドレスなどのほか、中古品のピックアップ先がユーザの住所と異なる場合にはそのピックアップ先の住所、担当者氏名、電話番号などである。
【００３９】
また、図７や図８に示す見積画面であったとすると、ユーザは、注意事項を読むことにより今回の中古品は低価値のため買取の対象とならず下取の対象にしかならなかったことを認識した上で、下取を希望する場合には「下取希望」ボタンをクリックし、下取を希望しない場合には「キャンセル」ボタンをクリックする。すると、ユーザコンピュータ４０は、「下取希望」ボタンがクリックされたときには下取要求を、「キャンセル」ボタンがクリックされたときにはキャンセル要求をインターネット２０を介してウェブサーバ１２へ送信する（ステップＳ１８０）。すると、これを受信したウェブサーバ１２は、受信した信号が下取希望だったときには新たに商品を購入することのできる商品購入サイトへユーザコンピュータ４０を接続し、受信した信号がキャンセル要求だったときにはトップページ画面をユーザコンピュータ４０へ送信する（ステップＳ１９０）。
【００４０】
ここで、本実施形態の構成要素と本発明の構成要素との対応関係を明らかにする。本実施形態のウェブサーバ１２及びデータベースサーバ１４が本発明の見積価格決定手段に相当し、ウェブサーバ１２が見積画面送信手段及び買取判定手段に相当し、買取見積価格の最高値ＰＡｍａｘにつき閾値Ｐ１を越える価格帯が買取可能価格帯に相当する。また、見積画面の内容が見積情報に相当し、買取ボタンが買取選択部に相当し、下取ボタンが下取選択部に相当する。
【００４１】
以上詳述した本実施形態の中古品見積システム１０では、ユーザコンピュータ４０からパーソナルコンピュータの中古品の見積要求とその見積に必要な見積必要情報とを受信したとき、その中古品の買取見積価格の最低値ＰＡｍｉｎ・最高値ＰＡｍａｘと下取見積価格の最低値ＰＢｍｉｎ・最高値ＰＢｍａｘとを見積必要情報に基づいて決定し、買取見積価格が買取可能価格帯にあるときには、図６に示す見積画面をユーザコンピュータに送信する。これにより、ユーザは下取見積価格と買取見積価格とを比較することができ、中古品を引き取ってもらうときに下取に出すべきか買取に出すべきかの指標とすることができる。特に、ユーザは下取見積価格と買取見積価格とを比較する際に、両者の最低値同士あるいは最高値同士を比較することができるので指標としてより有用である。
【００４２】
また、下取見積価格が買取見積価格よりも有利になるように設定されているため、ユーザはできるだけ中古品を下取見積価格で引き取ってもらいたいと考えて商品の購入を検討することが期待される。つまり、ユーザから中古品を引き取る機会を利用して商品購買意欲を喚び起こすことができる。
【００４３】
更に、買取見積価格の最高値ＰＡｍａｘを決定したあとこの買取見積価格の最高値ＰＡｍａｘに基づいて買取見積価格の最低値ＰＡｍｉｎ、下取見積価格の最高値ＰＢｍａｘ・最低値ＰＢｍｉｎを決定するため、下取見積価格を買取見積価格よりも有利になるように簡単に決定することができる。
【００４４】
更にまた、中古品見積システム１０は、図６の見積画面にて買取ボタンが選択されたときには商品を購入せず買取見積価格で引き取ってほしいというユーザの意思を認識でき、下取ボタンが選択されたときには商品を購入するので下取見積価格で引き取ってほしいというユーザの意思を認識できる。
【００４５】
そしてまた、図５のステップＳ２２０で買取見積価格の最高値ＰＡｍａｘが買取価格帯から外れているときには、ステップＳ２５０又はＳ２６０に進んで図７又は図８の見積画面のように買取見積価格を提示しないが、このような場合であっても商品の購入を伴う下取であれば中古品見積システム１０側にとって意味があるから下取見積価格は提示するため、ユーザは中古品を下取見積価格で引き取ってもらいたいと考え商品の購入を検討することが期待される。つまり、ユーザから中古品を引き取る機会を利用して商品購買意欲を喚起できる。このとき、買取ボタンが表示されないため、誤って買取ボタンを選択してしまうおそれがない。
【００４６】
そして更に、下取見積価格と買取見積価格とを中古品に含まれる部品に関する情報に基づいて決定してするため、中古品に含まれる部品に応じて価値を判断することができる。
【００４７】
なお、本発明は上述した実施形態に何等限定されるものではなく、種々の形態で実施し得ることはいうまでもない。
【００４８】
例えば、上述した実施形態では、パーソナルコンピュータの各構成部品の価格を部品価格テーブルから読み出しその部品価格の総額を買取見積価格の最高値ＰＡｍａｘとしたが、部品価格の総額を買取見積価格の最低値ＰＡｍｉｎとし、この最低値ＰＡｍｉｎに基づいてＰＡｍａｘ，ＰＢｍａｘ，ＰＢｍｉｎを求めてもよいし、あるいは、部品価格の総額を下取見積価格の最高値ＰＢｍａｘとし、この最高値ＰＢｍａｘに基づいてＰＡｍａｘ，ＰＡｍｉｎ，ＰＢｍｉｎを求めてもよいし、あるいは、部品価格の総額を下取見積価格の最低値ＰＢｍｉｎとし、この最低値ＰＢｍｉｎに基づいてＰＡｍａｘ，ＰＡｍｉｎ，ＰＢｍａｘを求めてもよい。なお、各値を求める場合には、下取見積価格の最低値ＰＢｍｉｎから最高値ＰＢｍａｘまでの価格帯が買取見積価格の最低値ＰＡｍｉｎから最高値ＰＡｍａｘまでの価格帯よりも高額になるように、部品価格の総額にオフセット価格（＞０）を足したり引いたりしてもよいし、部品価格の総額に１より大きい係数を乗じたり１より小さい係数を乗じたりしてもよいし、その他にどのような算出式を用いてもよい。
【００４９】
また、上述した実施形態では、買取見積価格の最高値ＰＡｍａｘと閾値Ｐ１とを比較しＰＡｍａｘがＰ１を越えたときに買取可能価格帯にあると判定したが、買取見積価格の最低値ＰＡｍｉｎと閾値Ｐ１’とを比較しＰＡｍｉｎがＰ１’を越えたときに買取可能価格帯にあると判定してもよい。
【００５０】
更に、上述した実施形態では、買取見積価格の最低値ＰＡｍｉｎと最高値ＰＡｍａｘ、下取見積価格の最低値ＰＢｍｉｎと最高値ＰＢｍａｘを求めたが、買取見積価格や下取見積価格を幅を持たせずに固定値として求めてもよい。
【００５１】
更にまた、上述した実施形態のウェブサーバ１２は、図３のステップＳ１８０において下取要求をユーザコンピュータ４０から受信したとき、ステップＳ１４０で受信した見積必要情報と見積画面における下取見積価格の最低値ＰＢｍｉｎ・最高値ＰＢｍａｘとを含む下取内容をウェブサーバ１２に接続された図示しない下取内容記憶装置に保存し、ステップＳ１９０において商品購入サイトをユーザコンピュータ４０に送信したあと、ユーザコンピュータ４０からその商品購入サイトで商品を購入する旨を受信したとき下取内容記憶装置から保存した下取内容を読み出してその下取内容での下取を希望するか否かの画面をユーザコンピュータ４０へ送信してもよい。こうすれば、こうすれば、ユーザが商品を購入すると共に中古品の下取をしてもらう際には、以前見積要求したときの下取内容を確認するだけでよいため、再度中古品の見積要求をする手間がいらず、煩雑さがなくなる。
【００５２】
そしてまた、上述した実施形態では、買取見積価格の最高値ＰＡｍａｘを部品価格テーブルから求めたあとこのＰＡｍａｘに基づいて下取見積価格の最高値ＰＢｍａｘを算出したが、各部品ごとに買取時の価格の最高値と下取時の価格の最高値をテーブル化しておき、下取見積価格の最高値ＰＢｍａｘも部品価格テーブルから求めてもよいし、更に各部品ごとに買取時の価格の最低値と下取時の価格の最低値をテーブル化しておき買取見積価格の最低値ＰＡｍｉｎや下取見積価格の最低値ＰＢｍｉｎについても部品価格テーブルから求めてもよい。
【００５３】
そして更に、上述した実施形態では、パーソナルコンピュータの中古品について説明したが、ディスプレイやプリンタやスキャナなどのパーソナルコンピュータの周辺機器の中古品や、コピー機、ファクシミリ装置、シュレッダなどのＯＡ機器の中古品や、テレビ、冷蔵庫、洗濯機、電子レンジなどの一般家電製品の中古品や、自動車、自動二輪車、自転車、ボートなどの乗り物の中古品や、ゴルフクラブ、テニスラケット、スキー板、スノーボードなどのスポーツ品の中古品や、マンション、一戸建てなどの中古物件など種々の中古品についても本発明を適用し、見積要求に応じて買取見積価格と下取見積価格とを提示してもよい。
【００５４】
そして更にまた、上述した実施形態では、中古品見積システム１０をウェブサーバ１２とデータベースサーバ１４の２つのサーバで構成したが、データベースサーバ１４の機能をウェブサーバ１２に持たせることにより１つのサーバで構成してもよいし、あるいは、３つ以上のサーバで構成してもよい。
【図面の簡単な説明】
【図１】中古品見積システムの概略構成を表す説明図である。
【図２】データ記憶装置に記憶された部品価格テーブルである。
【図３】通信の様子を時系列的に表した説明図である。
【図４】見積必要情報入力画面の説明図である。
【図５】見積画面作成処理ルーチンの説明図である。
【図６】見積画面の説明図である。
【図７】見積画面の説明図である。
【図８】見積画面の説明図である。
【符号の説明】
１０　中古品見積システム、１２　ウェブサーバ、１４　データベースサーバ、１６　データ記憶装置、１８　ネットワークケーブル、２０　インターネット、４０　ユーザコンピュータ、４２　ディスプレイ、Ｐ１　閾値、Ｐ２　閾値、ＰＡｍａｘ　買取見積価格の最高値、ＰＡｍｉｎ　買取見積価格の最低値、ＰＢｍａｘ　下取見積価格の最高値、ＰＢｍｉｎ　下取見積価格の最低値。
【図１】
2004126672.tif 000003
【図２】
2004126672.tif 000004
【図３】
2004126672.tif 000005
【図４】
2004126672.tif 000006
【図５】
2004126672.tif 000007
【図６】
2004126672.tif 000008
【図７】
2004126672.tif 000009
【図８】
2004126672.tif 000010